(57)【要約】【課題】１つの本体部材に連結することで必要に応じて様々な形状の釣り針部材を使用することができ、さらに、必要に応じて釣り針部材の長さ（またはイカ釣り用ヤエン自体の長さ）を容易に変更することができるイカ釣り用ヤエンが望まれていた。【解決手段】本発明に係るイカ釣り用ヤエンは、複数の釣り針を備える針部と棒状の連結部を備える釣り針部材と、本体部材を備えるイカ釣り用ヤエンであって、本体部材が、棒状の本体部と、本体部に立設される釣り糸通し部材と、釣り針部材の長さを調節しつつ釣り針部材を本体部材に連結するための連結機構を備えることを特徴とする。【選択図】図１
2018183085.tif 000002
【特許請求の範囲】
【請求項１】
複数の釣り針を備える針部と棒状の連結部を備える釣り針部材と、本体部材を備えるイカ釣り用ヤエンであって、
前記本体部材が、
棒状の本体部と、
前記本体部に立設される釣り糸通し部材と、
前記釣り針部材の長さを調節しつつ前記釣り針部材を前記本体部材に連結するための連結機構を備えることを特徴とするイカ釣り用ヤエン。
【請求項２】
前記連結機構が、
前記本体部の前方に設けた第一連結部材と、
前記本体部の後方に設けた第二連結部材を備えたものであることを特徴とする請求項１に記載のイカ釣り用ヤエン。
【請求項３】
前記連結機構が、
前記第一連結部材が前記本体部に固定され、前記第二連結部材が前記本体部に沿って前後に移動可能に設けられているもの、
あるいは、
前記第二連結部材が前記本体部に固定され、前記第一連結部材が前記本体部に沿って前後に移動可能に設けられているものであることを特徴とする請求項１または請求項２に記載のイカ釣り用ヤエン。
【請求項４】
前記第一連結部材および前記第二連結部材が、
前記本体部を挿入することができる第一筒状部材と、
前記連結部を挿入することができる第二筒状部材を、
上下に並列に連結したものであることを特徴とする請求項２または請求項３に記載のイカ釣り用ヤエン。
【請求項５】
前記第二連結部材が、
前記第一筒状部材と前記第二筒状部材を離間させた状態で上下に並列に連結したものであることを特徴とする請求項４に記載のイカ釣り用ヤエン。
【請求項６】
前記第二連結部材の前記第一筒状部材および／または前記第二筒状部材の筒径が、
前記第一連結部材の前記第一筒状部材および前記第二筒状部材の筒径よりも大きいものであることを特徴とする請求項４または請求項５に記載のイカ釣り用ヤエン。
【発明の詳細な説明】
【技術分野】
【０００１】
本発明は、イカ釣り用ヤエンに関するものである。詳しくは、１つの本体部材に連結することで必要に応じて様々な形状の釣り針部材を使用することができ、さらに、必要に応じて釣り針部材の長さ（またはイカ釣り用ヤエン自体の長さ）を容易に変更することができるイカ釣り用ヤエンに関するものである。
【背景技術】
【０００２】
従来から、特許文献１〜３などに記載されているように、様々なイカ釣り用ヤエンが開発されている。
【０００３】
具体的には、特許文献１、２に記載されているイカ釣り用ヤエンは、収納、携帯をし易くするために釣り針部材と本体部材を分離することができるようになっているものである。
【０００４】
また、特許文献３に記載されているイカ釣り用ヤエンは、スライド機能を持つ釣り糸通し部を棒状の本体部に設け、当該スライド機能を本体部に沿って前後にスライドさせることによって針部の長さを変更させることができるようになっているものである。
【先行技術文献】
【特許文献】
【０００５】
【特許文献１】特開２００３−２０４７４２号公報
【特許文献２】特開２００４−４９０２３号公報
【特許文献３】特開２００３−２３９３６号公報
【発明の概要】
【発明が解決しようとする課題】
【０００６】
しかしながら、上記に示す従前の技術においては、分離機能と釣り針部の長さ変更機能の両方を併せ持つイカ釣り用ヤエンはなかった。
特に、特許文献３に記載されているイカ釣り用ヤエンは、スライド機能をスライドさせることによってあくまでも本体部における釣り糸通し部の位置を変更するものであって、ヤエンの長さ自体を変更することができるものとはなっていないものである。
【０００７】
ここで、イカ釣りにおいてヤエンを用いる際は、まず釣り糸の先に餌魚をつけて海中で泳がせ、次に餌魚に食いついたアタリの強弱によってイカの大きさを予測して各種のヤエンの中から適切な大きさのヤエンを選択し、釣り糸に装着して海中に投入し、ヤエンの針をイカに引っ掛けることによって釣り上げる。
従って、従前のヤエン釣りにおいては、長さ、針の形状、針の数、棒状やＹ字状などの形状など様々な形態のヤエンをあらかじめ用意しておかなければならず、道具が多くなってしまうという問題があった。
【０００８】
また、従前のヤエン釣りにおいては、イカからヤエンを取り外すのが難しい場合があり、イカを釣り上げた後にすばやく次の釣りに取り掛かれないという問題もあった。
【０００９】
さらに、従前のヤエン釣りにおいては、適切な大きさのヤエンを選択した場合でも、係るヤエンの重心が後方にある場合には釣り糸に装着して海中に投入してもヤエンをイカまで降下させるのに時間を要したり、ヤエンが途中で止まってしまったりすることがあり、うまく釣ることができないという問題もあった。
【００１０】
今般、本願発明者は鋭意検討を行った結果、ヤエンを釣り針部材と本体部材とに分離する構造にするとともに、本体部材に釣り針部材（釣部）の長さを調節しつつ釣り針部材を連結するための連結機構を備える構造とすることによって、従前の問題点を解決することができるイカ釣り用ヤエンを得ることができるという知見を得た。
【００１１】
本発明は、上記した従来の問題点に鑑みてなされたものであって、新規なイカ釣り用ヤエンの提供を目的とするものである。
【課題を解決するための手段】
【００１２】
上記目的を達成するために、本発明の請求項１に係るイカ釣り用ヤエンは、複数の釣り針を備える針部と棒状の連結部を備える釣り針部材と、本体部材を備えるイカ釣り用ヤエンであって、本体部材が、棒状の本体部と、本体部に立設される釣り糸通し部材と、釣り針部材の長さを調節しつつ釣り針部材を本体部材に連結するための連結機構を備えることを特徴とする。
【００１３】
本発明の請求項２に係るイカ釣り用ヤエンは、連結機構が、本体部の前方に設けた第一連結部材と、本体部の後方に設けた第二連結部材を備えたものであることを特徴とする。
【００１４】
本発明の請求項３に係るイカ釣り用ヤエンは、連結機構が、第一連結部材が本体部に固定され、第二連結部材が本体部に沿って前後に移動可能に設けられているもの、あるいは、第二連結部材が本体部に固定され、第一連結部材が本体部に沿って前後に移動可能に設けられているものであることを特徴とする。
【００１５】
本発明の請求項４に係るイカ釣り用ヤエンは、第一連結部材および第二連結部材が、本体部を挿入することができる第一筒状部材と、連結部を挿入することができる第二筒状部材を、上下に並列に連結したものであることを特徴とする。
【００１６】
本発明の請求項５に係るイカ釣り用ヤエンは、第二連結部材が、第一筒状部材と第二筒状部材を離間させた状態で上下に並列に連結したものであることを特徴とする。
【００１７】
本発明の請求項６に係るイカ釣り用ヤエンは、第二連結部材の第一筒状部材および／または第二筒状部材の筒径が、第一連結部材の第一筒状部材および第二筒状部材の筒径よりも大きいものであることを特徴とする。
【発明の効果】
【００１８】
本発明のイカ釣り用ヤエンによれば、１つの本体部材に連結することで必要に応じて様々な形状の釣り針部材を使用することができ、さらに、必要に応じて釣り針部材の長さ（またはイカ釣り用ヤエン自体の長さ）を変更することができる。
その結果、アタリの強弱によって、長さ、針の形状、針の数、形状など、適切な釣り針部材を、重心を適切に調整しながら本体部材に連結することができることから、ヤエンを釣り糸に装着して海中に投入してもヤエンがイカまで降下するのに時間を要したり、ヤエンが途中で止まってしまったりすることを防止することができる。
また、釣り針部材を複数用意しておけば、イカを釣り上げてタモ網などで回収した後、イカが引っかかった状態の釣り針部材のみを本体部材から分離して、別の釣り針部材を本体部材に連結すればすぐに次の釣り上げ作業に取り掛かることができる。特に、夜間のイカ釣りにおいては従前のイカ釣り用ヤエンではイカが引っかかった状態からイカ釣り用ヤエンを外すことが難しくて時間を要していたが、本発明のイカ釣り用ヤエンではそのような煩わしさがないことから釣果を上げるのに大きな利点となるのである。
さらに、釣り針部材と本体部材に分離することができることから、釣り針部材と本体部材にそれぞれ弾性率（ヤング率）の異なる材料を用いることができ、理想的なイカ釣り用ヤエンを得ることができる。ここで、イカ釣り用ヤエンはイカに刺さるときには固い方（粘りがない方）が良いのであるが、イカに刺さった後は釣り針部材がイカに纏わりつく状態となること、すなわち粘りがある方が良い。従って、釣り針部材と本体部材にそれぞれ弾性率（ヤング率）の異なる材料を用いることができる本発明のイカ釣り用ヤエンは、材質の選択によって理想的なイカ釣り用ヤエンを実現することができるのである。
【００１９】
本発明の請求項２に係るイカ釣り用ヤエンによれば、連結機構が、本体部の前方に設けた第一連結部材と、本体部の後方に設けた第二連結部材を備えたものであるので、釣り針部材を本体部材に容易に連結させることができ、また釣り針部材の長さ（またはイカ釣り用ヤエン自体の長さ）を容易に変更することができる。
【００２０】
本発明の請求項３に係るイカ釣り用ヤエンによれば、第一連結部材または第二連結部材のいずれかが本体部に沿って前後に移動可能となっているので、釣り針部材を本体部材により容易に連結させることができ、また釣り針部材の長さ（またはイカ釣り用ヤエン自体の長さ）をより容易に変更することができる。
【００２１】
本発明の請求項４に係るイカ釣り用ヤエンによれば、連結部材が筒状部材を連結した特定の形態となっているので、上記効果に加えて釣り針部材を本体部材に強固に連結させることができる。
【００２２】
本発明の請求項５、６に係るイカ釣り用ヤエンによれば、第一筒状部材および第二筒状部材を特定の形態としているので、釣り針部材を本体部材により強固に連結させることができる。
【図面の簡単な説明】
【００２３】
【図１】本発明のイカ釣り用ヤエンの一の実施形態を示す模式図（図１（ａ）は釣り針部材と本体部材を分離した状態を示す模式図、図１（ｂ）は本体部材に釣り針部材を取り付けた状態を示す模式図、図１（ｃ）は釣り針部材と本体部材を強固に連結させた状態を示す模式図）である。
【図２】図１の本体部材の平面図（図２（ａ）は本体部材とスライド部材を分離した状態を示す平面図、図１（ｂ）は本体部材の後端部にスライド部材を挿入した状態を示す平面図）である。
【図３】図１の本体部材の側面図である。
【図４】図１の本体部材の前方部分を示す模式図である。
【図５】図１の本体部材の後方部分を示す模式図である。
【図６】図１（ｃ）の連結部分の拡大図である。
【図７】図１のイカ釣り用ヤエンの使用時の状態を示す模式図（図７（ａ）は図１のイカ釣り用ヤエンを海中に投入する際の状態を示す模式図、図７（ｂ）は結び目が前方の釣り糸通し部材の上方部分に引っ掛かった状態を示す模式図、図７（ｃ）はイカ釣り用ヤエンの後ろ部分が沈むことによって、釣り針がイカに刺さった状態を示す模式図）である。
【発明を実施するための形態】
【００２４】
本発明の実施形態を図面に基づいて説明する。なお、以下に述べる実施形態は本発明を具体化した一例に過ぎず、本発明の技術的範囲を限定するものでない。図１は本発明のイカ釣り用ヤエンの一の実施形態を示す模式図（図１（ａ）は釣り針部材と本体部材を分離した状態を示す模式図、図１（ｂ）は本体部材に釣り針部材を取り付けた状態を示す模式図、図１（ｃ）は釣り針部材と本体部材を強固に連結させた状態を示す模式図）であり、図２は図１の本体部材の平面図（図２（ａ）は本体部材とスライド部材を分離した状態を示す平面図、図１（ｂ）は本体部材の後端部にスライド部材を挿入した状態を示す平面図）であり、図３は図１の本体部材の側面図であり、図４は図１の本体部材の前方部分を示す模式図であり、図５は図１の本体部材の後方部分を示す模式図であり、図６は図１（ｃ）の連結部分の拡大図である。
【００２５】
（基本構造）
まず、本発明のイカ釣り用ヤエンの基本構造を図１に基づいて説明する。
本発明のイカ釣り用ヤエン１は、図１（ａ）に示すように、釣り針部材２と本体部材３を主要部材として構成されているものである。そして、釣り針部材２と本体部材３は本体部材３に設けた連結機構４によって連結される構造となっているものである。
なお、図１に記載のイカ釣り用ヤエン１は、釣り針部材２と本体部材３のみとなっているが、必要に応じて錘などを備えることも可能である。
【００２６】
次に、各構成要件について説明する。
【００２７】
（釣り針部材）
本発明に用いられる釣り針部材２は、図１に示すとおり、棒状の連結部５に複数の釣り針６を備える針部７を設けたものである。
なお、図１に示す釣り針部材２は、棒状の連結部５の一方の端部をさらに伸ばして棒状部分の針部７を形成し、係る棒状部分の針部７に釣り針６を設けた形態となっているが、連結部５が棒状となっていればその他の部分の形態については特に限定されるものではなく、連結部５を棒状とし、連結部５から二股状（コの字状、Ｙ字状、Ｕ字状など）や三股状などの複数に枝分かれした針部７を形成し、係る針部７に釣り針６を設けた形態とすることもできる。
【００２８】
また、釣り針部材２の材質については特に限定されるものではなく、各種の金属やプラスチックなどを用いることができる。なお、本体部材３に用いる材質と弾性率（ヤング率）の異なる材質を用いれば、［００１８］にも記載のとおり、理想的なイカ釣り用ヤエンを得ることができるので好適である。
【００２９】
（本体部材）
本発明に用いられる本体部材３は、図１〜５に示すとおり、連結機構４を設けるとともに、棒状の本体部８に３つの釣り糸通し部材９（９ａ、９ｂ、９ｃ）を立設した形態を基本構造とするものである。
なお、連結機構４については、本体部８における釣り糸通し部材９の立設位置と異なる位置に設けることが好ましい。
また釣り糸通し部材９（９ａ、９ｂ、９ｃ）の本体部８への設置（立設）形態については特に限定されるものではなく、溶接などによって釣り糸通し部材９（９ａ、９ｂ、９ｃ）を本体部８に直接、立設するような形態としてもよい。
【００３０】
さらに、本体部材３の後端部については、図２（ａ）に示すように、先端部が狭くなっている長Ｕ字状のスライド部材１２を用意し、係るスライド部材１２を連結材１０ｂおよび１０ｃを構成する二つの筒状部材の連結部分（くびれ部分）に挿入する構造とすれば、図２（ｂ）、図３、図５に示すように、スライド部材１２を、連結材１０ｂ、１０ｃを構成する二つの筒状部材の連結部分（くびれ部分）に差し込み、必要に応じて適宜移動（スライド）させるだけでイカ釣り用ヤエン１（釣り針部材２を連結した後）の微妙な重心の調節を簡単に行うことができるので好適である。なお、図２、図３、図５に示す連結材１０ｂ、１０ｃは接触した状態となっているが、離した状態で設けることもできる。
【００３１】
なお、本体部材３の材質についても特に限定されるものではなく、各種の金属やプラスチックなどを用いることができる。なお、釣り針部材２に用いる材質と弾性率（ヤング率）の異なる材質を用いれば、［００１８］にも記載のとおり、理想的なイカ釣り用ヤエンを得ることができるので好適である。
【００３２】
（釣り糸通し部材）
本発明の釣り糸通し部材９は、図１〜６に示すとおり、棒状の本体部８の前方、前方の後部、後方の３箇所に立設されるものである。
具体的には、図１〜５に示すように、前方の釣り糸通し部材９ａについては本体部８の先端部に連結した形態（後記する第一連結部材１４を構成する第一筒状部材１６ａを、前方の釣り糸通し部材９ａと本体部８の先端との連結材として用いる形態）とし、前方の釣り糸通し部材９ａの後部に立設する釣り糸通し部材９ｂと後方の釣り糸通し部材９ｃについては、二つの筒状部材を上下に並列に連結した連結材１０（１０ａ、１０ｂ、１０ｃ）を用いて本体部８に連結する形態とすれば、釣り糸通し部材９（９ａ、９ｂ、９ｃ）を容易に本体部８に設置（立設）することができる。
【００３３】
また、本発明の釣り糸通し部材９については以下の形態とすることが好ましい。
１）釣り糸通し部材９ｂの立設高さが、前方の釣り糸通し部材９ａおよび後方の釣り糸通し部材９ｃよりも低くなる形態とする（図１、図３、図４）。
２）釣り糸通し部材９ｂがイカ釣り用ヤエン１の重心の中心となる形態とする。
上記のように、１）の形態に加えて２）の形態を採用することによって、イカ釣り用ヤエン１が釣り糸通し部材９ｂだけを使って（釣り糸通し部材９ｂだけでぶら下がった状態で）海中に投入されていくことになり、安定した姿勢（具体的には、図７（ａ）に示すような、前方や後方が極端に落ち込むことがない安定した姿勢）でイカ釣り用ヤエン１を海中に投入することができるのである。また、安定した姿勢で海中に投入することができることから、イカ釣り用ヤエン１を釣り糸の途中で止まらせることなく、餌に喰い付いているイカの位置まですばやく到達させることができる
のである。
【００３４】
さらに、本発明の釣り糸通し部材９は、上記１）、２）の形態に加えて、以下の形態を採用すれば、安定した姿勢で海中に投入することをより容易なものとすることができるので好適である。
３）前方の釣り糸通し部材９ａについては、通し孔の上方部分１３を細くする形態、具体的には釣り糸は通過するが釣り糸に設けた結び目や虫ゴムなどの障害物は通過しない形態とする（図２、図４）。
４）釣り糸通し部材９ａと釣り糸通し部材９ｂについては前方に傾斜した形態とする（図１、図３、図４、図６）。
５）釣り糸通し部材９ｂについては、前方の釣り糸通し部材９ａと後方の釣り糸通し部材９ｃの中間位置に立設するのではなく、前方の釣り糸通し部材９ａの後部（前方の釣り糸通し部材９ａと後方の釣り糸通し部材９ｃの中間位置よりも前方の釣り糸通し部材９ａ寄りの位置）に立設する形態とする（図１〜４）。
【００３５】
加えて、後方の釣り糸通し部材９ｃについては、図１〜５に示すように、釣り糸通し部材９ｃの土台部分１１（棒状部分）を長くして連結材１０ｂ、１０ｃを用いて本体部８に連結する形態とすれば、１）本体部材３の強度の向上を図ることができる、２）イカ釣り用ヤエン１の重心調整（釣り糸通し部材９ｂに重心を持っていくこと）を容易に行うことができる、３）［００３０］に記載のスライド部材１２を差し込み易くすることができる、４）後記するスライド部材１２の移動（スライド）距離を長く取ることができることによってイカ釣り用ヤエン１の重心調整（釣り糸通し部材９ｂに重心を持っていくこと）をより容易に行うことができる、などの様々な効果を発現させることができるので好適である。
【００３６】
なお、釣り糸通し部材９の形状については特に限定されるものではなく、図１〜５に示すような棒状部材を曲げ加工することによって通し孔を形成したリング形状や、あるいはすり鉢状にしたコイル形状や釣り糸を引っ掛けるだけの逆Ｊ字形状やテニスラケットのフレームのような形状など各種の形状を採用することができる。
【００３７】
さらに、釣り糸通し部材９の材質についても特に限定されるものではなく、各種の金属やプラスチックなどを用いることができる。
【００３８】
（連結機構）
本発明の連結機構４は、釣り針部材２と本体部材３を連結することができるものであれば特に限定されるものではなく、各種の嵌合構造や螺合構造などを採用することができる。そしてその中でも、図１、図３、図４、図６に示すように、本体部８の前方に設けた第一連結部材１４と本体部８の後方に設けた第二連結部材１５によって構成し、さらに第一連結部材１４と第二連結部材１５を以下の形態とすることが好ましい。
１）第一連結部材１４または第二連結部材１５のいずれか一方を本体部８に固定し、固定しない他方の連結部材を本体部８に沿って前後に移動可能な形態とする（なお、図１、３、４、６においては第一連結部材１４が本体部８に固定され、第二連結部材１５が本体部８に沿って前後に移動する形態となっている）。
２）第一連結部材１４および第二連結部材１５を、棒状の本体部８を挿入することができる第一筒状部材１６と棒状の連結部５を挿入することができる第二筒状部材１７を上下に並列に連結した形態とする．
このように、連結機構４に筒状部材を用いた特定の形態とした連結部材を２つ用い、さらに一方の連結部材を固定して他方の連結部材を移動可能とすることによって、１つの本体部材３で必要に応じて様々な形状の釣り針部材を使用することができ、また釣り針部材を本体部材３に容易に連結させることができ、さらに釣り針部材の長さ（またはイカ釣り用ヤエン自体の長さ）を容易に変更することができることになるのである。
【００３９】
また、第一連結部材１４および第二連結部材１５については、上記１）および２）の形態に加えて、さらに以下の３）、４）の一方または両方の形態を採用することが好ましい。
３）第二連結部材１５の第一筒状部材１６ｂと第二筒状部材１７ｂを離間させた状態で上下に並列に連結した形態、具体的には第一筒状部材１６ｂと第二筒状部材１７ｂをスペーサー１８で連結した形態とする（図３、４、６）。
４）第二連結部材１５の第一筒状部材１６ｂおよび／または第二筒状部材１７ｂの筒径を、第一連結部材１４の第一筒状部材１６ａおよび第二筒状部材１７ａの筒径よりも大きい形態とする（図１、３、４、６）。
このように、第一連結部材１４および第二連結部材１５をさらに特定の形態とすれば、後記するように釣り針部材２を本体部材３に連結した後に連結部５と本体部８との間に隙間Ｓができることになる。そして、係る隙間Ｓが生じることによって連結部５がしなり、釣り針部材２に下向きの力が発生することになり、釣り針部材２を本体部材３により強固に連結させることができる（釣り針部材２を連結機構４から抜けにくくすることができる）のである。
【００４０】
次に、上記のように構成されたイカ釣り用ヤエン１の動作および作用を次に説明する。図７は図１のイカ釣り用ヤエンの使用時の状態を示す模式図（図７（ａ）は図１のイカ釣り用ヤエンを海中に投入する際の状態を示す模式図、図７（ｂ）は結び目が前方の釣り糸通し部材の上方部分に引っ掛かった状態を示す模式図、図７（ｃ）はイカ釣り用ヤエンの後ろ部分が沈むことによって、釣り針がイカに刺さった状態を示す模式図）である。
【００４１】
まず、釣り糸１９の先に釣り針（図示せず）を取付け、係る釣り針に餌魚をつけて海中で泳がせる。なおこの際、釣り糸１９（具体的には餌魚から数ｃｍの位置）には結び目や虫ゴムなどの障害物（図示せず）を１つ以上の作っておく。
【００４２】
次に、餌魚に食いついたアタリの強弱によってイカの大きさを予測する。
【００４３】
次に、図１（ａ）、（ｂ）に示すように、釣り針部材２の連結部５を、第一連結部材１４の第二筒状部材１７ａと第二連結部材１５の第二筒状部材１７ｂに挿入する。なおこの際、アタリの強弱（イカの大きさ）に応じて、針部７（図１においては棒状の針部７）の長さを調節する。
【００４４】
次に、図１（ｃ）、図６に示すように、第二連結部材１５を本体部８に沿って前方に移動させることによって、連結部５と本体部８との間に隙間Ｓを発生させて本発明のイカ釣り用ヤエン１を作製する。そうすると、係る隙間Ｓが生じることによって連結部５がしなり、釣り針部材２に下向きの力が発生することになり、釣り針部材２が本体部材３により強固に連結する（釣り針部材２が連結機構から抜けにくくなる）ことになる。
従って、［発明の効果］において記載のとおり、１つの本体部材３で必要に応じて様々な形状の釣り針部材を使用することができ、また釣り針部材を本体部材３に容易に連結させることができ、さらに釣り針部材の長さ（またはイカ釣り用ヤエン自体の長さ）を容易に変更することができることになる。
またこの際、本体部材３の後端部に装着したスライド部材１２を必要に応じて適宜移動（スライド）させることによって、針部７の長さを適切にした状態におけるイカ釣り用ヤエン１の重心調節を行う。
【００４５】
次に、上記により作製したイカ釣り用ヤエン１の釣り糸通し部材９を釣り糸１９に通し、釣り糸１９と餌魚との間に傾斜が形成されるように釣竿（図示せず）を操作して、イカ釣り用ヤエン１を海中に投入する。
そうすると、本発明のイカ釣り用ヤエン１は、釣り糸通し部材９ｂによって前後のバランスが取れている状態となっていることから、図７（ａ）に示すように、釣り糸１９の途中で止まってしまったりすることなく餌に喰い付いているイカの位置まですばやく到達させることができることになる。なおこの際、釣り糸通し部材９ｂの立設高さが、前方の釣り糸通し部材９ａよりも低くなっていることから、釣り糸１９は前方の釣り糸通し部材９ａの通し孔の下方部分２０を通過することになる。よって、釣り糸１９に設けた結び目や虫ゴムなどの障害物は前方の釣り糸通し部材９ａに引っかかることはなく、イカ釣り用ヤエン１はイカの位置まですばやく到達することになる。
【００４６】
次に、イカ釣り用ヤエン１がイカの位置にまで到達した後に釣り糸１９を緩める。
そうすると、イカ釣り用ヤエン１は餌魚から後退する方向に移動（具体的には、斜め下方に向かって移動）しようとするが、一方、餌魚にはイカが食い付いていることから、釣り糸１９は餌魚方向に向かって引っ張られている、すなわち餌魚方向に向かって持ち上げられる状態となっているため、前方の釣り糸通し部材９ａの上方部分１３が釣り糸１９に設けた結び目や虫ゴムなどの障害物に引っかかることになり、イカ釣り用ヤエン１はイカの位置から後退せずにそのままの位置に保持されることになる。
そうすると、イカ釣り用ヤエン１は釣り糸通し部材９ａによって釣り糸１９にぶら下がる状態となるが、ここでイカ釣り用ヤエン１は釣り糸通し部材９ｂが重心となるように調整していることから、重心のバランスが崩れ、図７（ｂ）に示すように、イカ釣り用ヤエン１の後ろ部分が沈み始めることになる。
【００４７】
次に、イカ釣り用ヤエン１は、イカ釣り用ヤエン１の後ろ部分が沈むことによって釣り針部材２（針部７）が持ち上がるようになり、図７（ｃ）に示すように、釣り針６がイカに刺さることになる。そうすると、イカはイカ釣り用ヤエン１から離れようと後方（イカ釣り用ヤエン１から見た場合には前方）に逃げようとするが、釣り針６がさらにイカに刺さることになるのでイカを釣り上げることができることになる。
【００４８】
ここで、従前のイカ釣り用ヤエンでは上記のような動作、作用を起こさないことから、釣り人自身が釣り竿を細かく動かす（具体的にはしゃくり上げる）動作をすることで釣り針部材をイカに引っ掛けようとしていた（刺さるようにしていた）が、このような動作をしてしまうとかえってイカが餌魚を離してしまいうまく釣ることができなかった。これに対して本発明のイカ釣り用ヤエンでは釣り針部材が自ずとイカを引っ掛けるよう動くことになることから、釣り人自身が釣り竿を細かく動かす（しゃくり上げる）ような無駄な動作をする必要がなくなり、イカが餌魚を離してしまう事態を有効に防止することができるのである。
【００４９】
次に、イカを海面まで釣り上げてタモ網などで回収した後、イカが引っかかった状態の釣り針部材２のみを本体部材３から外して本体部材３のみを取り急ぎ回収し、新たな餌魚（図示せず）を釣針（図示せず）につけて海中に投入して泳がせる。
【００５０】
そして、餌魚にイカがすぐ食いついた場合には、本体部材３に新たな釣り針部材２を連結して［００３９］〜［００４５］と同様の動作を行うことで時間の短縮を行い、釣果を向上させる。また、アタリを待つ時間がある場合には、釣り上げたイカに引っかかっている釣り針部材２を外す作業を行うことになる。
【００５１】
以上のとおり、本発明のイカ釣り用ヤエンは、［発明の効果］において記載している、従来のイカ釣り用ヤエンにはない様々な技術的効果を発現させることができることになる。
【産業上の利用可能性】
【００５２】
本発明のイカ釣り用ヤエンはイカ釣りに用いることができる。
【符号の説明】
【００５３】
１    イカ釣り用ヤエン
２    釣り針部材
３    本体部材
４    連結機構
５    連結部
６    釣り針
７    針部
８    本体部
９    釣り糸通し部材
９ａ  前方の釣り糸通し部材
９ｂ  前方の釣り糸通し部材の後部に立設する釣り糸通し部材
９ｃ  後方の釣り糸通し部材
１０  連結材
１０ａ  連結材
１０ｂ  連結材
１０ｃ  連結材
１１  土台部分
１２  スライド部材
１３  通し孔の上方部分
１４  第一連結部材
１５  第二連結部材
１６  第一筒状部材
１６ａ  第一筒状部材
１６ｂ  第一筒状部材
１７  第二筒状部材
１７ａ  第二筒状部材
１７ｂ  第二筒状部材
１８  スペーサー
１９  釣り糸
２０  通し孔の下方部分
Ｓ    隙間
【図１】
2018183085.tif 000003
【図２】
2018183085.tif 000004
【図３】
2018183085.tif 000005
【図４】
2018183085.tif 000006
【図５】
2018183085.tif 000007
【図６】
2018183085.tif 000008
【図７】
2018183085.tif 000009
【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
複数の釣り針を備える針部と棒状の連結部を備える釣り針部材と、本体部材を備えるイカ釣り用ヤエンであって、
前記本体部材が、
棒状の本体部と、
前記本体部に立設される釣り糸通し部材と、
前記釣り針部材の長さを調節しつつ前記釣り針部材を前記本体部材に連結するための連結機構を備え、
前記連結機構が、
前記本体部の前方に設けた第一連結部材と、前記本体部の後方に設けた第二連結部材を備えたものであり、
かつ前記第一連結部材が前記本体部に固定され、前記第二連結部材が前記本体部に沿って前後に移動可能に設けられているもの、
あるいは、
前記第二連結部材が前記本体部に固定され、前記第一連結部材が前記本体部に沿って前後に移動可能に設けられているものであることを特徴とするイカ釣り用ヤエン。
【請求項２】
前記第一連結部材および前記第二連結部材が、
前記本体部を挿入することができる第一筒状部材と、
前記連結部を挿入することができる第二筒状部材を、
上下に並列に連結したものであることを特徴とする請求項１に記載のイカ釣り用ヤエン。
【請求項３】
前記第二連結部材が、
前記第一筒状部材と前記第二筒状部材を離間させた状態で上下に並列に連結したものであることを特徴とする請求項１または請求項２に記載のイカ釣り用ヤエン。
【請求項４】
前記第二連結部材の前記第一筒状部材および／または前記第二筒状部材の筒径が、
前記第一連結部材の前記第一筒状部材および前記第二筒状部材の筒径よりも大きいものであることを特徴とする請求項１から請求項３のいずれか一項に記載のイカ釣り用ヤエン。
【手続補正２】
【補正対象書類名】明細書
【補正対象項目名】００１２
【補正方法】変更
【補正の内容】
【００１２】
上記目的を達成するために、本発明の請求項１に係るイカ釣り用ヤエンは、複数の釣り
針を備える針部と棒状の連結部を備える釣り針部材と、本体部材を備えるイカ釣り用ヤエ
ンであって、本体部材が、棒状の本体部と、本体部に立設される釣り糸通し部材と、釣り
針部材の長さを調節しつつ釣り針部材を本体部材に連結するための連結機構を備え、連結機構が、本体部の前方に設けた第一連結部材と、本体部の後方に設けた第二連結部材を備えたものであり、かつ第一連結部材が本体部に固定され、第二連結部材が本体部に沿って前後に移動可能に設けられているもの、あるいは、第二連結部材が本体部に固定され、第一連結部材が本体部に沿って前後に移動可能に設けられているものであることを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
本発明の請求項２に係るイカ釣り用ヤエンは、第一連結部材および第二連結部材が、本体部を挿入することができる第一筒状部材と、連結部を挿入することができる第二筒状部材を、上下に並列に連結したものであることを特徴とする。
【手続補正６】
【補正対象書類名】明細書
【補正対象項目名】００１６
【補正方法】変更
【補正の内容】
【００１６】
本発明の請求項３に係るイカ釣り用ヤエンは、第二連結部材が、第一筒状部材と第二筒状部材を離間させた状態で上下に並列に連結したものであることを特徴とする。
【手続補正７】
【補正対象書類名】明細書
【補正対象項目名】００１７
【補正方法】変更
【補正の内容】
【００１７】
本発明の請求項４に係るイカ釣り用ヤエンは、第二連結部材の第一筒状部材および／または第二筒状部材の筒径が、第一連結部材の第一筒状部材および第二筒状部材の筒径よりも大きいものであることを特徴とする。
【手続補正８】
【補正対象書類名】明細書
【補正対象項目名】００１９
【補正方法】変更
【補正の内容】
【００１９】
本発明のイカ釣り用ヤエンによれば、連結機構が、本体部の前方に設けた第一連結部材と、本体部の後方に設けた第二連結部材を備えたものであるので、釣り針部材を本体部材に容易に連結させることができ、また釣り針部材の長さ（またはイカ釣り用ヤエン自体の長さ）を容易に変更することができる。
【手続補正９】
【補正対象書類名】明細書
【補正対象項目名】００２０
【補正方法】変更
【補正の内容】
【００２０】
本発明のイカ釣り用ヤエンによれば、第一連結部材または第二連結部材のいずれかが本体部に沿って前後に移動可能となっているので、釣り針部材を本体部材により容易に連結させることができ、また釣り針部材の長さ（またはイカ釣り用ヤエン自体の長さ）をより容易に変更することができる。
【手続補正１０】
【補正対象書類名】明細書
【補正対象項目名】００２１
【補正方法】変更
【補正の内容】
【００２１】
本発明の請求項２に係るイカ釣り用ヤエンによれば、連結部材が筒状部材を連結した特定の形態となっているので、上記効果に加えて釣り針部材を本体部材に強固に連結させることができる。
【手続補正１１】
【補正対象書類名】明細書
【補正対象項目名】００２２
【補正方法】変更
【補正の内容】
【００２２】
本発明の請求項３、４に係るイカ釣り用ヤエンによれば、第一筒状部材および第二筒状部材を特定の形態としているので、釣り針部材を本体部材により強固に連結させることができる。
【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
複数の釣り針を備える針部と棒状の連結部を備える釣り針部材と、本体部材を備えるイカ釣り用ヤエンであって、
前記本体部材が、
棒状の本体部と、
前記本体部に立設される釣り糸通し部材と、
前記釣り針部材の長さを調節しつつ前記釣り針部材を前記本体部材に連結するための連結機構を備え、
前記連結機構が、
前記本体部の前方に設けた第一連結部材と、前記本体部の後方に設けた第二連結部材を備えたものであり、
かつ前記第一連結部材が前記本体部に固定され、前記第二連結部材が前記本体部に沿って前後に移動可能に設けられているもの、
あるいは、
前記第二連結部材が前記本体部に固定され、前記第一連結部材が前記本体部に沿って前後に移動可能に設けられているものであることを特徴とするイカ釣り用ヤエン。
【請求項２】
前記第一連結部材および前記第二連結部材が、
前記本体部を挿入することができる第一筒状部材と、
前記連結部を挿入することができる第二筒状部材を、
上下に並列に連結したものであることを特徴とする請求項１に記載のイカ釣り用ヤエン。
【請求項３】
前記第二連結部材が、
前記第一筒状部材と前記第二筒状部材を離間させた状態で上下に並列に連結したものであることを特徴とする請求項２に記載のイカ釣り用ヤエン。
【請求項４】
前記第二連結部材の前記第一筒状部材および／または前記第二筒状部材の筒径が、
前記第一連結部材の前記第一筒状部材および前記第二筒状部材の筒径よりも大きいものであることを特徴とする請求項２または請求項３に記載のイカ釣り用ヤエン。